(57)【特許請求の範囲】
【請求項１】
粒状体を収納した容器と、粉砕歯体を具えたインナーキャップと、操作筒とを備えた振出し容器であって、
操作筒は、インナーキャップの外側に上下動可能に装着された外筒と、外筒に連接され、インナーキャップの粉砕歯体と協働する粉砕歯体を具えた内筒とからなり、
操作筒を上下動させることにより、両粉砕歯体で粒状体を粉砕して排出するようにしたことを特徴とする振出し容器。
【請求項２】
外筒の上壁から係止筒を垂設し、インナーキャップの案内筒に係止させ、
上壁下面とインナーキャップの上壁上面との間に、ばねを弾装したことを特徴とする請求項１記載の振出し容器。
【請求項３】
粉砕歯体が、周方向に延びる複数個の鋸歯状の歯体によって形成されていることを特徴とする請求項１記載の振出し容器。
【発明の詳細な説明】
【技術分野】
【０００１】
本発明は、粉粒体振出し容器、とくに容器内に収納した大粒の粒状体を粉砕して振出すようにした振出し容器に関するものである。
【背景技術】
【０００２】
容器に収納した胡椒、ごま等の粒状体を、容器に装着したメス刃、オス刃を具えた粉砕装置で粉砕し、排出口より排出するようにした振出し容器は、従来より知られている（例えば、特許文献１、特許文献２参照）。
【特許文献１】特開２００１−１２８８６２号公報
【特許文献２】特開２００１−２２４５１１号公報
【発明の開示】
【発明が解決しようとする課題】
【０００３】
しかしながら、従来の振出し容器においては、粉砕装置は、内外の刃体を反対方向に廻動させることによって粒状体を粉砕しており、メス刃を取着した内筒に対してオス刃を取着した外筒を廻転させなけれはならなかった。
砕粒物、粉体等の振出しにあたって、容器本体に対して外筒を廻動させることは、使い勝手がよいとはいえなかった。
【０００４】
本発明は、上記の事情を考え、振出し容器に対して、外筒を上下動させ、粒状体を振出す方向と、外筒の操作方向を一致させるようにした振出し容器を提供することを目的とする。
【課題を解決するための手段】
【０００５】
本発明は、上記の課題を解決するため、振出し容器として、粒状体を収納した容器と、粉砕歯体を具えたインナーキャップと、操作筒とを備えた振出し容器であって、操作筒は、インナーキャップの外側に上下動可能に装着された外筒と、外筒に連接され、インナーキャップの粉砕歯体と協働する粉砕歯体を具えた内筒とからなり、操作筒を上下動させることにより、両粉砕歯体で粒状体を粉砕して排出するようにしたことを特徴とする構成を採用する。
【０００６】
操作筒を上下動させるための実施例として、外筒の上壁から係止筒を垂設し、インナーキャップの案内筒に係止させ、上壁下面とインナーキャップの上壁上面との間に、ばねを弾装したことを特徴とする構成を採用する。
【０００７】
粉砕歯体の実施例として、粉砕歯体が、周方向に延びる複数個の鋸歯状の歯体によって形成されていることを特徴とする構成を採用する。
【発明の効果】
【０００８】
本発明は、インナーキャップの内側に粉砕歯体を設け、外側に上下動可能として操作筒の外筒を装着し、外筒に連接して、インナーキャップの粉砕歯体と協働する粉砕歯体を設けた内筒を配設するようにしたから、容器に対して外筒を上下動させることによって、振出し口から粉粒体を排出できるようになり、振出し方向と外筒の操作方向が一致するので、振出し容器として、使い勝手がよくなり、容易に使用できるようになった。
【発明を実施するための最良の形態】
【０００９】
次に本発明の実施形態について、図面を参照して説明する。
図１において、Ａは大粒の粒状体を収納した容器、Ｂは容器Ａ口部に螺着されたインナーキャップ、ＣはインナーキャップＢの側周壁に上下動可能に装着された操作筒で、外筒Ｃ１と内筒Ｃ２とからなっている。
Ｄはオーバーキャップである。
【００１０】
容器Ａは、口部１と胴部２、底部３とからなり、内容物として、胡椒、ごま等の粒状香辛料などが収納され、口部１天面には、アルミシート、その他によりシールが施されている。
口部１には、ねじ４が螺設されており、下方には、段部が形成され、胴部２に続いている。
底部３は、底壁５を架設した内周壁６と外周壁７とからなり、内周壁６と外周壁７によって胴部２下端に嵌合されている。
【００１１】
図１、２に示すように、インナーキャップＢは、上壁１０と側周壁１１、上壁１０の内周縁より立設され、上下面を水平面とし、下面を傾斜面１２とした係合壁１３と、係合壁１３の上方内周から連設された案内筒１４とを具えている。
側周壁１１の内周には、ねじ４に螺合するねじ１５が螺設され、外周には、縦方向に延びる多数の凹溝１６が設けられている。
案内筒１４の内面には、全周にわたって、内方に螺旋状に突出する数段の鋸歯状の粉砕歯体１７が形成されており、案内筒１４の外周上端部には、カギ状の係止突条１８が設けられている。
【００１２】
図１、３に示すように、操作筒Ｃは、容器Ａ上部とインナーキャップＢを覆う外筒Ｃ１と、外筒Ｃ１の上部に連設され、インナーキャップＢの鋸歯状の粉砕歯体１７と作動する鋸歯状の粉砕歯体を具えた内筒Ｃ２とからなっている。
外筒Ｃ１は、上部がドーム状の側周壁２０と、環状の上壁２１とを具えており、側周壁２０の内周には、インナーキャップＢの側周壁１１の凹溝１６と係合する縦方向に延びる複数の突条２２が設けられ、凹溝１６によって上下に案内されるようになっている。
側周壁２０の下端は、外方に膨出する保持突条２３となっている。
【００１３】
上壁２１の内周縁には、外周に係合突条２４を設けた振出し筒２５が立設され、上壁２１の内周縁近くには、下端に、カギ状の係止突条２６を設けた係止筒２７が垂設されている。
上壁２１の下面に、等間隔をおいてリブ２８が設けられ、リブ２８の下面と、インナーキャップＢの上壁１０上面との間には、ばね２９が弾装されている。
【００１４】
内筒Ｃ２は、上壁３０と、粉砕歯体３１を装着する側周壁３２とを具えており、側周壁３２の上端には、振出し筒２５に接続する連結片３３が等間隔に配設されており、連結片３３の間は、粉粒体が排出される振出し口となっている。
側周壁３２の下方部外周は、縮径部３４となっており、上部には、係合突条３５が設けられている。
【００１５】
粉砕歯体３１は、側周壁３６と底壁３７とからなり、側周壁３６の外周面には、複数段にわたって鋸歯状の粉砕歯３８が突設されており、裏面には、係合突条３５と係合し、粉砕歯３８を側周壁３２に嵌着する係合突条３９が突設されている。
【００１６】
図１、４に示すように、オーバーキャップＤは、頂壁４０と側壁４１とを具え、頂壁４０の下面には、外筒Ｃ１の振出し筒２５に係合する密封リング４２が垂設され、側壁４１の内周には、振出し筒２５の係合突条２４に係合する係合突条４３が設けられており、外周下端の所定位置には摘み片４４が突設されている。
また、オーバーキャップＤは、実施例では被せ蓋としたが、ヒンジ式キャップとしてもよい。
【００１７】
次に、本願発明の振出し容器の使用態様と、作用効果について説明する。
容器Ａには、胡椒、ごま等の香辛料、その他の粒状体を収納し、インナーキャップＢを被嵌する。
次いで、インナーキャップＢの内側に内筒Ｃ２を挿入し、外筒Ｃ１の係止筒２７をインナーキャップＢの案内筒１４に嵌挿する。
【００１８】
その際、外筒Ｃ１とインナーキャップＢとの間には、ばね２９が弾装されていることによって、外筒Ｃ１は、上昇位置に係止され、内筒Ｃ１の粉砕歯体３１は、インナーキャップＢの粉砕歯体１７に対応して位置する。
次いで、オーバーキャップＤが被嵌され、振出し容器が形成される。
【００１９】
使用にあたっては、容器Ａから操作筒ＣとインナーキャップＢを外し、シールを剥がした後に、インナーキャップＢと操作筒Ｃを取着しておく。
【００２０】
粉体、砕粒の振出しにあたっては、オーバーキャップＤを開いて振出し容器を倒立させて、振出し筒２５を所要の振出し方向に向け、容器Ａに対して外筒Ｃ１を上下動させる。
その際には、図５に示すように、内筒Ｃ２の粉砕歯体３１が、インナーキャップＢの粉砕歯対１７に対して上下動し、傾斜面１２と粉砕歯体３１との間の粒状体を下方に移し、粉砕歯体１７、３１との間で粒状体を破砕し、粉粒体として振出し筒２５の振出し口より排出される。
【００２１】
操作にあたっては、容器Ａを握って、図１に示す位置から手指で保持突条２３を引き上げると、粉砕歯体３１が内方に引き上げられ、図５（ａ）に示すように、粒状体は傾斜面１２に接して落ち込み、保持突条２３から手を離すと、ばね２９の弾力によって操作筒Ｃは下降し、図５（ｂ）に示すように、内筒Ｃ２の粉砕歯体３１とインナーキャップＢの粉砕歯体１７の歯間で粒状体を粉砕しつつ、粉砕した粉粒体を振出し筒２５の振出し口から排出することができる。
【００２２】
振出し操作時は、親指、または人差し指で保持突条２３を上下動させ、他の指で容器Ａをつかんで片手で操作することができるので、取扱いは極めて簡単である。
また、ばね２９の力が弱いときには、操作筒Ｃを手で下降させてもよい。
【００２３】
以上のように、本発明の振出し容器は、操作筒の外筒を上下動させることによって粉粒を振出すことができるので、振出し操作が容易である。
【産業上の利用可能性】
【００２４】
本発明は、粒状体を、収納した容器に対して外筒を上下動させることによって粉砕するようにしたので、振出し容器として、使い勝手がよくなった。
そのため、胡椒、ごま、その他の食卓用の振出し容器として、広く利用できる。
【図面の簡単な説明】
【００２５】
【図１】本発明振出し容器の一部断面立面図である。
【図２】インナーキャップの一部断面立面図である。
【図３】操作筒の一部断面立面図である。
【図４】オーバーキャップの一部断面立面図である。
【図５】操作時の説明図で、（ａ）は操作筒の引上げ時、（ｂ）は押下げ時の一部断面立面図である。
【符号の説明】
【００２６】
Ａ          容器
Ｂ          インナーキャップ
Ｃ          操作筒
Ｃ１        外筒
Ｃ２        内筒
Ｄ          オーバーキャップ
１          口部
２          胴部
３          底部
４、１５    ねじ
５、３７    底壁
６          内筒壁
７          外筒壁
１０、２１、３０  上壁
１１、２０、３２、３６  側周壁
１２        傾斜面
１３        係合壁
１４        案内筒
１６        凹溝
１７、３１  粉砕歯体
１８、２６  係止突条
２２        突条
２３        保持突条
２４、３５、３９、４３  係合突条
２５        振出し筒
２７        係止筒
２８        リブ
２９        ばね
３３        連結片
３４        縮径部
３８        粉砕歯
４０        頂壁
４１        側壁
４２        密封リング
４４        摘み片
【図１】
0005014894.tif 000002
【図２】
0005014894.tif 000003
【図３】
0005014894.tif 000004
【図４】
0005014894.tif 000005
【図５】
0005014894.tif 000006